(57)【要約】【課題】もともと電子情報であったものだけでなく、紙の書類や写真等の電子化されていない情報についても、シームレスに共有連携可能とする。【解決手段】情報共有連携システム１００では、管理サーバー１０に記憶される共有データが、患者に対して形成されたチーム内のメンバーに公開される。管理サーバー１０は、ＦＡＸ装置３０からＦＡＸ通信用データを受信すると、ＦＡＸ通信用データを解析して、当該ＦＡＸ通信用データに対応するチーム（患者）を特定し、受信されたＦＡＸ通信用データをインターネット通信用データに変換し、インターネット通信用データを、特定されたチームと対応付けて、共有データとして登録する。【選択図】図１
2018010547.tif 000002
【特許請求の範囲】
【請求項１】
チーム毎に、当該チームを構成する複数のメンバーを対応付けて記憶する第１記憶手段と、
前記チーム毎に、当該チームに関する共有データを対応付けて記憶する第２記憶手段と、
前記第２記憶手段に新たな共有データが登録された場合に、前記第２記憶手段において前記登録された共有データに対応付けられているチームを特定し、前記第１記憶手段において前記特定されたチームに対応付けられている複数のメンバーを特定する特定手段と、
前記特定手段により特定された複数のメンバーに対して、前記登録された共有データを公開する情報共有手段と、
を備える情報共有連携システムであって、
ファクシミリ装置からファクシミリ通信用データを受信するファクシミリ受信手段と、
前記受信されたファクシミリ通信用データを解析して、当該ファクシミリ通信用データに対応するチームを特定する解析手段と、
前記受信されたファクシミリ通信用データをインターネット通信用データに変換する変換手段と、
前記インターネット通信用データを、前記解析手段により特定されたチームと対応付けて前記第２記憶手段に登録する登録手段と、
を備える情報共有連携システム。
【請求項２】
ファクシミリ番号と解析領域とを対応付けて記憶する第３記憶手段を備え、
前記解析手段は、前記ファクシミリ受信手段により受信されたファクシミリ通信用データの送信元のファクシミリ番号を取得し、前記第３記憶手段において前記取得されたファクシミリ番号に対応付けられている解析領域を特定し、前記受信されたファクシミリ通信用データに対して、前記特定された解析領域を解析する請求項１に記載の情報共有連携システム。
【請求項３】
前記メンバー毎に、ファクシミリ装置で情報を受信するか否かを示す情報を対応付けて記憶する第４記憶手段と、
前記特定手段により特定された複数のメンバーの中に、前記第４記憶手段においてファクシミリ装置で情報を受信することを示す情報が対応付けられているメンバーがいる場合に、前記登録された共有データを変換してファクシミリ通信用データを生成する第２変換手段と、
前記第２変換手段により生成されたファクシミリ通信用データを、前記ファクシミリ装置で情報を受信することを示す情報が対応付けられているメンバーに対応するファクシミリ装置に送信するファクシミリ送信手段と、
を備える請求項１又は２に記載の情報共有連携システム。
【請求項４】
前記共有データには、複数の医療・介護・福祉関係者で共有連携される医療・介護・福祉情報が含まれる請求項１から３のいずれか一項に記載の情報共有連携システム。
【発明の詳細な説明】
【技術分野】
【０００１】
本発明は、情報共有連携システムに関する。
【背景技術】
【０００２】
近年、インターネット上での情報共有やメッセージの送受信を通じて社会的ネットワークを構築するソーシャルネットワークサービス（ＳＮＳ）等の情報共有連携システムが利用されている。共通の趣味に関する情報を共有するグループや、ビジネス上つながりがあるグループ、チーム医療・介護のためのグループ等、その利用シーンは様々である。このような情報共有連携システムでは、パーソナルコンピューター（ＰＣ）、携帯電話機、スマートフォン、タブレット端末等、いわゆるＩＴ機器と呼ばれる端末からアクセスする方法が用いられる。
【０００３】
しかし、施設内の情報が完全に電子化されている施設、紙の書類で管理している施設、一部の情報のみ電子化されている施設等、グループ内で電子化のレベルに差がある場合には、データを一元的に管理することは難しい。
例えば、或る患者の在宅診療に携わるチーム内で、或る訪問看護ステーションでは、他の施設との間のやり取りをファクシミリ装置のみで行っている場合、診療所の医師から訪問看護ステーションの看護師に送付する訪問看護指示書や、訪問看護ステーションの看護師から診療所の医師に送付する訪問看護報告書については、ＦＡＸ送信する必要がある。
【０００４】
従来、情報共有連携システムでは、紙の書類や写真等を扱う場合、スキャナーと呼ばれる読み取り装置で画像データに変換し、ＩＴ機器に取り込むことで、システム上でのやり取りが可能となる。あるいは、紙の書類の内容を手動でＰＣ等に打ち込み、電子情報に変換してから、やり取りされる。
【０００５】
例えば、電話機、ＦＡＸ、電子メール等の通信手段を介して取得された情報を蓄積し利用するシステムにおいて、電話機やＦＡＸから取得された情報については、オペレーターがその内容を入力してデータベースに登録することが提案されている（特許文献１参照）。
【先行技術文献】
【特許文献】
【０００６】
【特許文献１】特開２００２−２４５２０号公報
【発明の概要】
【発明が解決しようとする課題】
【０００７】
電話回線を利用したファクシミリ装置の場合、紙の書類や写真からのデータ変換とデータの送受信を同時に行うことができるが、インターネット上でのデータのやり取りと共存させるためには、読み取り装置によるデータ取り込み作業が必要であった。
また、インターネットファックスという電話回線とインターネットの切り替えサービスも存在するが、これは特定の相手との間でデータの送受信を行うことを目的としており、情報共有連携システムで用いられるものではなかった。
そのため、情報共有連携システムにおいて、紙の書類や写真等、もともと電子化されていない情報を共有することは、多大な手間や困難を伴うものであった。
【０００８】
本発明は、上記の従来技術における問題に鑑みてなされたものであって、もともと電子情報であったものだけでなく、紙の書類や写真等の電子化されていない情報についても、シームレスに共有連携可能とすることを課題とする。
【課題を解決するための手段】
【０００９】
上記課題を解決するために、請求項１に記載の発明は、チーム毎に、当該チームを構成する複数のメンバーを対応付けて記憶する第１記憶手段と、前記チーム毎に、当該チームに関する共有データを対応付けて記憶する第２記憶手段と、前記第２記憶手段に新たな共有データが登録された場合に、前記第２記憶手段において前記登録された共有データに対応付けられているチームを特定し、前記第１記憶手段において前記特定されたチームに対応付けられている複数のメンバーを特定する特定手段と、前記特定手段により特定された複数のメンバーに対して、前記登録された共有データを公開する情報共有手段と、を備える情報共有連携システムであって、ファクシミリ装置からファクシミリ通信用データを受信するファクシミリ受信手段と、前記受信されたファクシミリ通信用データを解析して、当該ファクシミリ通信用データに対応するチームを特定する解析手段と、前記受信されたファクシミリ通信用データをインターネット通信用データに変換する変換手段と、前記インターネット通信用データを、前記解析手段により特定されたチームと対応付けて前記第２記憶手段に登録する登録手段と、を備える。
【００１０】
請求項２に記載の発明は、請求項１に記載の情報共有連携システムにおいて、ファクシミリ番号と解析領域とを対応付けて記憶する第３記憶手段を備え、前記解析手段は、前記ファクシミリ受信手段により受信されたファクシミリ通信用データの送信元のファクシミリ番号を取得し、前記第３記憶手段において前記取得されたファクシミリ番号に対応付けられている解析領域を特定し、前記受信されたファクシミリ通信用データに対して、前記特定された解析領域を解析する。
【００１１】
請求項３に記載の発明は、請求項１又は２に記載の情報共有連携システムにおいて、前記メンバー毎に、ファクシミリ装置で情報を受信するか否かを示す情報を対応付けて記憶する第４記憶手段と、前記特定手段により特定された複数のメンバーの中に、前記第４記憶手段においてファクシミリ装置で情報を受信することを示す情報が対応付けられているメンバーがいる場合に、前記登録された共有データを変換してファクシミリ通信用データを生成する第２変換手段と、前記第２変換手段により生成されたファクシミリ通信用データを、前記ファクシミリ装置で情報を受信することを示す情報が対応付けられているメンバーに対応するファクシミリ装置に送信するファクシミリ送信手段と、を備える。
【００１２】
請求項４に記載の発明は、請求項１から３のいずれか一項に記載の情報共有連携システムにおいて、前記共有データには、複数の医療・介護・福祉関係者で共有連携される医療・介護・福祉情報が含まれる。
【発明の効果】
【００１３】
本発明によれば、もともと電子情報であったものだけでなく、紙の書類や写真等の電子化されていない情報についても、シームレスに共有連携することができる。
【図面の簡単な説明】
【００１４】
【図１】本発明の実施の形態における情報共有連携システムのシステム構成図である。
【図２】管理サーバーの機能的構成を示すブロック図である。
【図３】患者情報テーブルの例を示す図である。
【図４】チーム情報テーブルの例を示す図である。
【図５】スタッフ情報テーブルの例を示す図である。
【図６】施設情報テーブルの例を示す図である。
【図７】（ａ）は、患者ＩＤがＱＲコード（登録商標）化されている書類の例である。（ｂ）は、患者ＩＤが手書き文字で記載されている書類の例である。
【図８】登録情報管理テーブルの例を示す図である。
【図９】登録情報実体テーブルの例を示す図である。
【図１０】情報閲覧管理テーブルの例を示す図である。
【図１１】クライアント端末の機能的構成を示すブロック図である。
【図１２】準備処理を示すラダーチャートである。
【図１３】ＦＡＸ通信用データ受信時処理を示すラダーチャートである。
【図１４】ＦＡＸ通信用データ受信時処理を示すラダーチャートである。
【図１５】スタッフ用閲覧画面の表示例である。
【図１６】患者画面の表示例である。
【図１７】共有データ詳細画面の表示例である。
【図１８】インターネット通信用データ受信時処理を示すラダーチャートである。
【図１９】ＦＡＸ装置により出力された訪問看護指示書の例である。
【発明を実施するための形態】
【００１５】
以下、図面を参照して、本発明に係る情報共有連携システムの一実施形態について説明する。ただし、発明の範囲は、図示例に限定されない。
【００１６】
〔情報共有連携システムの構成〕
図１に、本実施の形態における情報共有連携システム１００のシステム構成を示す。
図１に示すように、情報共有連携システム１００は、管理サーバー１０と、クライアント端末２０と、ファクシミリ装置（以下、ＦＡＸ装置という。）３０と、を備えて構成されている。管理サーバー１０とクライアント端末２０とは、インターネット等の通信ネットワークＮを介して接続されている。また、管理サーバー１０とＦＡＸ装置３０とは、電話回線Ｆを介して接続されている。なお、クライアント端末２０、ＦＡＸ装置３０の台数は、限定されない。
【００１７】
管理サーバー１０は、クライアント端末２０又はＦＡＸ装置３０から登録された共有データを蓄積し管理する。共有データには、複数の医療・介護・福祉関係者で共有連携される医療・介護・福祉情報が含まれる。以下、医療・介護・福祉情報を総称して、医療情報という。
【００１８】
クライアント端末２０は、医療施設に所属するメンバー（医療・介護・福祉関係者）により使用されるＰＣ、携帯電話機、スマートフォン、タブレット端末等である。医療施設としては、主治医が所属する病院や診療所、在宅患者の訪問看護を行う看護師が所属する訪問看護ステーション、在宅患者のケアプランを作成するケアマネージャーや、在宅患者の訪問介護を行う訪問介護員が所属する訪問介護事業所等が挙げられる。
【００１９】
在宅患者の在宅診療に携わるメンバー（各医療施設のスタッフ）は、クライアント端末２０から患者に関する医療情報を登録する。登録された医療情報は、管理サーバー１０に保存され、在宅患者に対して形成されたチーム内のメンバーに公開される。
【００２０】
ＦＡＸ装置３０は、ファクシミリ機能を有し、電話回線Ｆを介して接続された外部機器との間でファクシミリ通信用データ（以下、ＦＡＸ通信用データという。）の送受信を行う。具体的には、ＦＡＸ装置３０は、原稿を読み取ってＦＡＸ通信用データを生成し、電話回線Ｆを介してＦＡＸ通信用データを外部機器に送信する。また、ＦＡＸ装置３０は、用紙に対して画像を形成する画像形成部を備え、電話回線Ｆを介して外部機器から受信したＦＡＸ通信用データに基づいて、画像形成を行う。
ＦＡＸ装置３０は、コピー機能、スキャン機能、プリンター機能を有する複合機や、ファクシミリ機能を有する電話機であってもよい。
【００２１】
〔管理サーバーの構成〕
図２に、管理サーバー１０の機能的構成を示す。
図２に示すように、管理サーバー１０は、制御部１１、操作部１２、表示部１３、インターネット通信部１４、ＦＡＸ通信部１５、ＲＡＭ（Random Access Memory）１６、記憶部１７等を備えて構成されており、各部はバス１８により接続されている。
【００２２】
制御部１１は、ＣＰＵ（Central Processing Unit）等から構成され、管理サーバー１０の各部の処理動作を統括的に制御する。具体的には、制御部１１は、記憶部１７に記憶されている各種処理プログラムを読み出してＲＡＭ１６に展開し、当該プログラムとの協働により各種処理を行う。
【００２３】
操作部１２は、カーソルキー、文字入力キー及び各種機能キー等を備えたキーボードと、マウス等のポインティングデバイスを備えて構成され、キーボードに対するキー操作やマウス操作により入力された操作信号を制御部１１に出力する。
【００２４】
表示部１３は、ＬＣＤ（Liquid Crystal Display）等のモニターを備えて構成されており、制御部１１から入力される表示信号の指示に従って、各種画面を表示する。
【００２５】
インターネット通信部１４は、ネットワークインターフェース等により構成され、ＬＡＮ（Local Area Network）、ＷＡＮ（Wide Area Network）、インターネット等の通信ネットワークＮを介して接続された外部機器との間でデータの送受信を行う。
【００２６】
ＦＡＸ通信部１５は、電話回線Ｆを介して接続されたＦＡＸ装置３０との間でＦＡＸ通信用データの送受信を行う。すなわち、ＦＡＸ通信部１５は、ファクシミリ受信手段、及び、ファクシミリ送信手段として機能する。
【００２７】
ＲＡＭ１６は、制御部１１により実行制御される各種処理において、記憶部１７から読み出された各種プログラム、入力若しくは出力データ及びパラメーター等を一時的に記憶するワークエリアを形成する。
【００２８】
記憶部１７は、ＨＤＤ（Hard Disk Drive）や半導体の不揮発性メモリー等により構成され、各種処理プログラム、当該プログラムの実行に必要なパラメーターやファイル等を記憶している。例えば、記憶部１７には、クライアント端末２０に搭載されたＷｅｂブラウザーとＨＴＴＰプロトコルによる通信を行ってＷｅｂブラウザーに各種Ｗｅｂ画面を提供するＷｅｂサーバーとしての機能を実現させるためのＷｅｂサーバープログラムや、Ｗｅｂサーバー上で動作し、Ｗｅｂブラウザーを介してクライアント端末２０のユーザーに情報共有連携サービスを提供するためのアプリケーションプログラム等が記憶されている。
【００２９】
記憶部１７には、患者情報テーブルＴ１、チーム情報テーブルＴ２、スタッフ情報テーブルＴ３、施設情報テーブルＴ４、登録情報管理テーブルＴ５、登録情報実体テーブルＴ６、情報閲覧管理テーブルＴ７が記憶されている。
【００３０】
図３に、患者情報テーブルＴ１の例を示す。患者情報テーブルＴ１は、患者毎に、患者に関する情報を管理するためのテーブルである。患者情報テーブルＴ１には、患者毎に、患者ＩＤ、患者名、チームＩＤ等が対応付けられて格納されている。
患者ＩＤは、患者に付与された識別情報である。
患者名は、患者の氏名である。
チームＩＤは、患者の医療に携わる複数のメンバーにより構成されるチームに付与された識別情報である。
【００３１】
図４に、チーム情報テーブルＴ２の例を示す。チーム情報テーブルＴ２は、チーム毎に、チームに関する情報を管理するためのテーブルである。チーム情報テーブルＴ２には、チーム毎に、チームＩＤ、チームメンバー数、チームメンバー数分のスタッフＩＤが対応付けられて格納される。
チームメンバー数は、チームを構成するメンバーの数である。
スタッフＩＤは、チームを構成するメンバー（スタッフ）に付与された識別情報である。
チーム情報テーブルＴ２を記憶する記憶部１７は、第１記憶手段として機能する。
【００３２】
図５に、スタッフ情報テーブルＴ３の例を示す。スタッフ情報テーブルＴ３は、スタッフ毎に、スタッフに関する情報を管理するためのテーブルである。スタッフ情報テーブルＴ３には、スタッフ毎に、スタッフＩＤ、スタッフ名、施設ＩＤ、クライアント種類等が対応付けられて格納されている。
スタッフＩＤは、スタッフの識別情報である。
スタッフ名は、スタッフの氏名である。
施設ＩＤは、スタッフが所属する施設に付与された識別情報である。
クライアント種類は、スタッフが使用するクライアント端末２０又はＦＡＸ装置３０の種類である。「クライアント種類」フィールドには、例えば、ＰＣ、タブレット、スマートフォン、ＦＡＸ等が格納される。つまり、「クライアント種類」フィールドには、ＦＡＸ装置で情報を受信するか否かを示す情報が格納される。「クライアント種類」フィールドが「ＦＡＸ」である場合には、該当するスタッフに、ＦＡＸ装置で情報を受信することを示す情報が対応付けられていることを意味する。スタッフ情報テーブルＴ３を記憶する記憶部１７は、第４記憶手段として機能する。
【００３３】
図６に、施設情報テーブルＴ４の例を示す。施設情報テーブルＴ４は、施設毎に、施設に関する情報を管理するためのテーブルである。施設情報テーブルＴ４には、施設毎に、施設ＩＤ、施設名、ファクシミリ番号（以下、ＦＡＸ番号という。）、解析開始座標Ｘ０、解析開始座標Ｙ０、解析終了座標Ｘ１、解析終了座標Ｙ１が対応付けられて格納される。
施設ＩＤは、施設の識別情報である。
施設名は、施設の名称である。
ＦＡＸ番号は、施設に設置されたＦＡＸ装置３０のＦＡＸ番号である。
解析開始座標Ｘ０、解析開始座標Ｙ０、解析終了座標Ｘ１、解析終了座標Ｙ１は、施設からＦＡＸ送信されるＦＡＸ通信用データに対する解析領域を示す情報であり、それぞれ、解析される矩形領域の始点と終点を示す座標である。ＦＡＸ通信用データの解析領域には、情報共有される患者を特定するための情報（患者ＩＤ）が含まれている。
施設情報テーブルＴ４を記憶する記憶部１７は、第３記憶手段として機能する。
【００３４】
図７（ａ）は、ＦＡＸ送信される書類に、データ符号化技術を用いて、患者ＩＤがＱＲコード化されて描画されている場合の例である。この場合、ＦＡＸ通信用データの解析領域からＱＲコードを抽出し、ＱＲコードを解析して患者ＩＤを特定する。
図７（ｂ）は、ＦＡＸ送信される書類に、患者ＩＤが手書き文字で記載されている場合の例である。この場合、ＦＡＸ通信用データの解析領域に対してＯＣＲ（Optical Character Recognition）解析を行い、患者ＩＤを特定する。
患者を特定するための情報をどのような方法でＦＡＸ通信用データ内に持たせるかは、事前に決定しておき、ユーザーはそれに従った方法でＦＡＸ送信する書類に患者を特定するための情報を記載する。
【００３５】
図８に、登録情報管理テーブルＴ５の例を示す。登録情報管理テーブルＴ５は、登録される情報を管理するためのテーブルである。登録情報管理テーブルＴ５には、登録される情報毎に、登録情報ＩＤ、患者ＩＤ、種類、登録情報実体ＩＤが対応付けられて格納される。
登録情報ＩＤは、管理サーバー１０にて管理される医療情報に対して付与された識別情報である。
患者ＩＤは、登録される情報が、どの患者についての情報か、つまり、どのチームに対応する情報かを示している。
種類は、登録される情報の種類を示す情報である。情報の種類としては、例えば、文書、画像、バイタルデータ等が挙げられる。
登録情報実体ＩＤは、登録される情報の実体を管理する登録情報実体テーブルＴ６内の各レコードに対して付与された識別情報である。
チームと患者は、患者情報テーブルＴ１において対応付けられているため、患者情報テーブルＴ１及び登録情報管理テーブルＴ５を記憶する記憶部１７は、第２記憶手段として機能する。
【００３６】
図９に、登録情報実体テーブルＴ６の例を示す。登録情報実体テーブルＴ６は、医療情報の実体を管理するためのテーブルである。登録情報実体テーブルＴ６には、登録される情報毎に、登録情報実体ＩＤ、登録日時、更新日時、名称等が対応付けられて格納される。
登録日時は、情報が登録された日時である。
更新日時は、情報が更新された日時である。
名称は、情報の名称であり、登録時にユーザーにより入力される。なお、ＦＡＸ装置３０から取得されたデータについては、名称は空欄となる。
また、登録情報実体テーブルＴ６には、情報の実体がファイルであれば、ファイルの格納先を示す情報が含まれ、情報の実体が数値・文字であれば、データそのものが含まれる。
【００３７】
図１０に、情報閲覧管理テーブルＴ７の例を示す。情報閲覧管理テーブルＴ７は、登録された情報に対する各メンバー（スタッフ）による閲覧状況（閲覧履歴）を管理するためのテーブルである。情報閲覧管理テーブルＴ７には、情報閲覧管理ＩＤ、登録情報ＩＤ、スタッフＩＤ、未読・既読、登録日時、更新日時が対応付けられて格納される。
情報閲覧管理ＩＤは、情報閲覧管理テーブルＴ７内の各レコードに対して付与された識別情報である。
登録情報ＩＤは、該当するレコードが、どの情報に対する閲覧状況を示すものであるかを示している。
スタッフＩＤは、情報閲覧の対象となるスタッフを示している。
未読・既読は、該当するスタッフが閲覧対象情報を閲覧したか否かを示している。具体的には、電子情報として提供される場合には、その表示画面を開いたタイミングで「既読」となり、ＦＡＸ送信される場合には、ＦＡＸ送信されたタイミングで「既読」となる。
登録日時は、情報が登録された日時である。
更新日時は、情報が更新された日時である。例えば、「未読・既読」フィールドの情報が「未読」から「既読」に変更された場合に、変更された時の日時が更新日時となる。
【００３８】
制御部１１は、記憶部１７（登録情報管理テーブルＴ５及び登録情報実体テーブルＴ６）に新たな共有データが登録された場合に、登録情報管理テーブルＴ５及び患者情報テーブルＴ１において新たに登録された共有データに対応付けられているチームを特定する。具体的には、制御部１１は、登録情報管理テーブルＴ５を参照して、新たに登録された共有データに対応付けられている患者ＩＤを取得し、患者情報テーブルＴ１を参照して、取得された患者ＩＤに対応付けられているチームＩＤを取得する。
制御部１１は、チーム情報テーブルＴ２において特定されたチームに対応付けられている複数のメンバーを特定する。具体的には、制御部１１は、チーム情報テーブルＴ２を参照して、特定されたチームのチームＩＤに対応付けられているスタッフＩＤを取得する。
すなわち、制御部１１は、特定手段として機能する。
【００３９】
制御部１１は、特定された複数のメンバーに対して、登録された共有データを公開する。すなわち、制御部１１は、情報共有手段として機能する。
具体的には、制御部１１は、スタッフ情報テーブルＴ３を参照して、特定されたメンバー（スタッフ）に対応付けられている「クライアント種類」が「ＦＡＸ」以外である場合には、当該メンバーがクライアント端末２０から管理サーバー１０にアクセスした際に、共有データを参照可能とする。
【００４０】
ＦＡＸ通信部１５により、ＦＡＸ装置３０からＦＡＸ通信用データが受信された場合に、制御部１１は、受信されたＦＡＸ通信用データを解析して、当該ＦＡＸ通信用データに対応するチームを特定する。すなわち、制御部１１は、解析手段として機能する。
具体的には、制御部１１は、ＦＡＸ通信部１５により受信されたＦＡＸ通信用データの送信元のＦＡＸ番号を取得し、施設情報テーブルＴ４においてこのＦＡＸ番号に対応付けられている解析領域（解析開始座標Ｘ０、解析開始座標Ｙ０、解析終了座標Ｘ１、解析終了座標Ｙ１）を特定し、受信されたＦＡＸ通信用データに対して、特定された解析領域を解析する。制御部１１は、ＦＡＸ通信用データの解析により患者ＩＤを取得し、患者情報テーブルＴ１を参照して、取得された患者ＩＤに対応付けられているチームＩＤを取得する。
【００４１】
制御部１１は、ＦＡＸ装置３０から受信されたＦＡＸ通信用データをインターネット通信用データに変換する。すなわち、制御部１１は、変換手段として機能する。
制御部１１は、インターネット通信用データを、ＦＡＸ通信用データの解析により特定されたチームと対応付けて登録情報管理テーブルＴ５に登録する。すなわち、制御部１１は、登録手段として機能する。具体的には、制御部１１は、インターネット通信用データを患者ＩＤ（患者情報テーブルＴ１においてチームＩＤと対応付けられている）と対応付けて登録情報管理テーブルＴ５に登録する。
【００４２】
制御部１１は、新たに登録された共有データに対応付けられているチームを構成するメンバーとして特定された複数のメンバーの中に、スタッフ情報テーブルＴ３においてＦＡＸ装置で情報を受信することを示す情報が対応付けられているメンバー（「クライアント種類」が「ＦＡＸ」であるスタッフ）がいる場合に、登録された共有データを変換してＦＡＸ通信用データを生成する。すなわち、制御部１１は、第２変換手段として機能する。
制御部１１は、ＦＡＸ通信部１５を制御して、生成されたＦＡＸ通信用データを、ＦＡＸ装置で情報を受信することを示す情報が対応付けられているメンバーに対応するＦＡＸ装置３０に送信させる。
【００４３】
〔クライアント端末の構成〕
図１１に、クライアント端末２０の機能的構成を示す。
図１１に示すように、クライアント端末２０は、制御部２１、操作部２２、表示部２３、通信部２４、ＲＡＭ２５、記憶部２６等を備えて構成されており、各部はバス２７により接続されている。
【００４４】
制御部２１は、ＣＰＵ等から構成され、クライアント端末２０の各部の処理動作を統括的に制御する。具体的には、制御部２１は、操作部２２から入力される操作信号又は通信部２４により受信される指示信号に応じて、記憶部２６に記憶されている各種処理プログラムを読み出してＲＡＭ２５に展開し、当該プログラムとの協働により各種処理を行う。
【００４５】
操作部２２は、カーソルキー、文字入力キー及び各種機能キー等を備えたキーボードと、マウス等のポインティングデバイスを備えて構成され、キーボードに対するキー操作やマウス操作により入力された操作信号を制御部２１に出力する。また、操作部２２が、表示部２３に積層されたタッチパネルにより構成され、操作者の指等によるタッチ操作の位置に応じた操作信号を制御部２１に出力することとしてもよい。
【００４６】
表示部２３は、ＬＣＤ等のモニターを備えて構成されており、制御部２１から入力される表示信号の指示に従って、各種画面を表示する。例えば、表示部２３は、管理サーバー１０から受信した各種Ｗｅｂ画面の表示用データに基づいて各種Ｗｅｂ画面を表示する。
【００４７】
通信部２４は、ネットワークインターフェース等により構成され、ＬＡＮ、ＷＡＮ、インターネット等の通信ネットワークＮを介して接続された外部機器との間でデータの送受信を行う。
【００４８】
ＲＡＭ２５は、制御部２１により実行制御される各種処理において、記憶部２６から読み出された各種プログラム、入力若しくは出力データ及びパラメーター等を一時的に記憶するワークエリアを形成する。
【００４９】
記憶部２６は、ＨＤＤや半導体の不揮発性メモリー等により構成され、各種処理プログラム、当該プログラムの実行に必要なパラメーターやファイル等を記憶している。例えば、記憶部２６には、Ｗｅｂブラウザーを実現するためのＷｅｂブラウザープログラム等が記憶されている。
【００５０】
〔情報共有連携システムにおける動作〕
次に、情報共有連携システム１００における動作について説明する。
【００５１】
図１２は、情報共有連携システム１００において実行される準備処理を示すラダーチャートである。管理サーバー１０における処理は、制御部１１と記憶部１７に記憶されているプログラムとの協働によるソフトウェア処理によって実現される。
【００５２】
まず、ＦＡＸ装置３０では、ＦＡＸ装置３０が設置された施設のスタッフによる操作によって、情報共有連携用のＦＡＸ番号が入力され、登録される（ステップＳ１）。情報共有連携用のＦＡＸ番号とは、チーム内でデータを共有するために、管理サーバー１０にＦＡＸ送信する際のＦＡＸ番号である。ＦＡＸ装置３０に登録されたＦＡＸ番号は、後に、ＦＡＸ送信時に読み出され、宛先として設定される。
【００５３】
管理サーバー１０では、ユーザー（管理サーバー１０の管理者等）による操作部１２からの操作に基づいて、制御部１１により、チームを構成するスタッフが登録される（ステップＳ２）。具体的には、操作部１２から、チームを構成するメンバーの人数が入力されると、制御部１１により、チーム情報テーブルＴ２の「チームＩＤ」フィールドに、患者情報テーブルＴ１において対象患者の患者ＩＤと対応付けられているチームＩＤが格納され、「チームメンバー数」フィールドに、入力された人数が格納される。また、チームメンバー数分の「スタッフＩＤ」フィールドが用意され、各「スタッフＩＤ」フィールドに、チームを構成するメンバーとして選択されたスタッフのスタッフＩＤがそれぞれ格納される。
【００５４】
次に、ユーザーによる操作部１２からの操作に基づいて、施設に対応するＦＡＸ番号が登録される（ステップＳ３）。具体的には、操作部１２から、登録対象施設に設置されたＦＡＸ装置３０のＦＡＸ番号が入力されると、制御部１１により、施設情報テーブルＴ４において、登録対象施設の「施設ＩＤ」に対応する「ＦＡＸ番号」フィールドに、入力されたＦＡＸ番号が格納される。
【００５５】
次に、ユーザーによる操作部１２からの操作に基づいて、情報共有連携用の書類形式が登録される（ステップＳ４）。具体的には、操作部１２から、登録対象施設から送信されるＦＡＸ通信用データ中の解析領域が指定されると、制御部１１により、施設情報テーブルＴ４において、登録対象施設の「施設ＩＤ」に対応する「解析開始座標Ｘ０」フィールド、「解析開始座標Ｙ０」フィールド、「解析終了座標Ｘ１」フィールド、「解析終了座標Ｙ１」フィールドに、指定された解析領域の始点と終点を示す座標が格納される。
以上で、準備処理が終了する。
【００５６】
なお、チーム情報テーブルＴ２、施設情報テーブルＴ４に対する情報の登録は、クライアント端末２０からの操作に基づいて行われることとしてもよい。
【００５７】
図１３及び図１４は、情報共有連携システム１００において実行されるＦＡＸ通信用データ受信時処理を示すラダーチャートである。管理サーバー１０における処理は、制御部１１と記憶部１７に記憶されているプログラムとの協働によるソフトウェア処理によって実現され、クライアント端末２０における処理は、制御部２１と記憶部２６に記憶されているプログラムとの協働によるソフトウェア処理によって実現される。
【００５８】
まず、ＦＡＸ装置３０において、送信対象となる書類がセットされ、情報共有連携用のＦＡＸ送信先（管理サーバー１０）が選択されると（ステップＳ１１）、書類が読み取られ（ステップＳ１２）、ＦＡＸ通信用データが生成される（ステップＳ１３）。ＦＡＸ通信用データは、ＴＩＦＦ（Tagged Image File Format）等の画像データとして送信されることが一般的である。
次に、選択されたＦＡＸ送信先に応じて、ＦＡＸ装置３０から管理サーバー１０にＦＡＸ通信用データが電話回線Ｆを介して送信される（ステップＳ１４）。
【００５９】
管理サーバー１０では、ＦＡＸ通信部１５により、ＦＡＸ通信用データが受信されると、制御部１１により、ＦＡＸ受信情報から送信元のＦＡＸ番号が取得される（ステップＳ１５）。
【００６０】
次に、制御部１１により、記憶部１７の施設情報テーブルＴ４が参照され、送信元のＦＡＸ番号に対応する施設が特定され、施設に対応する解析領域が取得される（ステップＳ１６）。
【００６１】
次に、制御部１１により、ＦＡＸ通信用データの解析領域を対象として、解析が行われ、患者（チームに対応）が特定される（ステップＳ１７）。例えば、解析領域に患者ＩＤがＱＲコードで描画されている場合には、ＦＡＸ通信用データからＱＲコードが抽出され、ＱＲコードがデコードされ、患者ＩＤが取得される。また、解析領域に患者ＩＤが手書き文字又は活字で記載されている場合には、ＦＡＸ通信用データの解析領域に対してＯＣＲ解析が行われ、患者ＩＤが取得される。
【００６２】
次に、制御部１１により、ＦＡＸ通信用データがインターネット通信用データに変換される（ステップＳ１８）。例えば、ＴＩＦＦ形式のデータからＰＮＧ（Portable Network Graphics）形式、ＪＰＥＧ（Joint Photographic Experts Group）形式、ＰＤＦ（Portable Document Format）形式等のデータに変換される。
【００６３】
次に、制御部１１により、ヘッダー情報として、患者ＩＤや、送信元施設の施設ＩＤがインターネット通信用データに付帯される（ステップＳ１９）。
【００６４】
次に、制御部１１により、インターネット通信用データが患者（チームに対応）と対応付けられて登録される（ステップＳ２０）。具体的には、制御部１１により、記憶部１７の登録情報管理テーブルＴ５に新たなレコードが追加され、新たに生成された登録情報ＩＤと患者ＩＤとが対応付けられる。また、インターネット通信用データのファイルの格納先については、登録情報実体テーブルＴ６に登録され、登録情報管理テーブルＴ５と登録情報実体テーブルＴ６とは、登録情報実体ＩＤでリンクされる。また、登録情報実体テーブルＴ６には、インターネット通信用データの登録日時が格納される。
【００６５】
次に、制御部１１により、患者からチームが特定される（ステップＳ２１）。具体的には、制御部１１により、記憶部１７の患者情報テーブルＴ１が参照され、該当患者の患者ＩＤに対応付けられているチームＩＤが取得される。
【００６６】
次に、制御部１１により、チーム内のスタッフが特定される（ステップＳ２２）。具体的には、制御部１１により、記憶部１７のチーム情報テーブルＴ２が参照され、チームＩＤに対応付けられている複数のスタッフＩＤが取得される。
【００６７】
次に、図１４に移り、制御部１１により、特定されたスタッフ毎に、記憶部１７の情報閲覧管理テーブルＴ７に閲覧状況（未読）が登録される（ステップＳ２３）。具体的には、制御部１１により、登録されたインターネット通信用データに対応する登録情報ＩＤとチーム内のスタッフのスタッフＩＤのそれぞれが対応付けられて情報閲覧管理テーブルＴ７に登録される。「未読・既読」フィールドについては、「未読」の状態とする。
なお、本処理では、チーム内のスタッフのうち、スタッフ情報テーブルＴ３において「クライアント種類」フィールドが「ＦＡＸ」であるスタッフについては、情報閲覧管理テーブルＴ７に登録されない。
【００６８】
次に、制御部１１により、インターネット通信部１４を介して、登録情報がチーム内のスタッフに通知される（ステップＳ２４）。例えば、通知対象となるスタッフが、クライアント端末２０から管理サーバー１０にアクセスした際に、新たに登録された情報が存在することがクライアント端末２０の表示部２３に表示される。あるいは、通知対象となるスタッフに対応するメールアドレス宛に、新たに登録された情報が存在することを記載したメールが送信される。
【００６９】
図１５に、クライアント端末２０の表示部２３に表示されるスタッフ用閲覧画面２３１の例を示す。スタッフ用閲覧画面２３１には、共有データ一覧領域４０が含まれる。共有データ一覧領域４０には、クライアント端末２０を使用中のスタッフが閲覧可能な登録情報４１〜４３が表示される。
具体的には、制御部１１により、情報閲覧管理テーブルＴ７から、クライアント端末２０を使用中のスタッフに対応する「スタッフＩＤ」を含むレコードが抽出され、抽出されたレコードに含まれる「登録情報ＩＤ」に対応する登録情報４１〜４３が共有データ一覧領域４０に表示される。この際、レコード中の「未読・既読」フィールドの情報に基づいて、各登録情報４１〜４３に対して、「未読」又は「既読」が付加される。
【００７０】
次に、制御部１１により、ＦＡＸ通信部１５を介して、登録完了通知が、送信元のＦＡＸ装置３０にＦＡＸ送信される（ステップＳ２５）。
【００７１】
クライアント端末２０では、チーム内のスタッフによる操作部２２からの操作により、表示部２３に新たに登録された情報が表示され、チーム内のスタッフにより、登録情報が確認される（ステップＳ２６）。
【００７２】
図１６に、クライアント端末２０の表示部２３に表示される患者画面２３２の例を示す。患者画面２３２には、タイムライン領域５０が含まれる。タイムライン領域５０には、項目毎（例えば、訪問記録、バイタル、画像、文書等）に、対象患者の情報が存在することを示すアイコンが時間軸に沿って表示される。
具体的には、クライアント端末２０を使用中のスタッフに対しては、当該スタッフが属するチームに対応する患者のうち、表示対象として選択された患者に関する医療情報が公開される。制御部１１により、登録情報管理テーブルＴ５から、対象患者の「患者ＩＤ」に対応付けられた「登録情報ＩＤ」が取得され、取得された「登録情報ＩＤ」に対応する登録情報が、タイムライン領域５０の表示対象となる。各登録情報は、登録情報実体テーブルＴ６の「登録日時」フィールドの情報に基づいて、タイムライン領域５０における表示位置が決定される。
【００７３】
タイムライン領域５０において、いずれかのアイコンがクリックされた場合に表示部２３に表示される共有データ詳細画面２３３の例を図１７に示す。共有データ詳細画面２３３には、共有データ詳細領域６０、閲覧状況領域６１が含まれる。共有データ詳細領域６０には、クリックされたアイコンに対応する登録情報（共有データ）の詳細が表示される。閲覧状況領域６１には、クリックされたアイコンに対応する登録情報を、チームを構成する各スタッフが確認したか否かが表示される。具体的には、情報閲覧管理テーブルＴ７から、表示対象の登録情報の「登録情報ＩＤ」に対応付けられている「スタッフＩＤ」フィールド及び「未読・既読」フィールドの情報が取得され、「スタッフＩＤ」に対応する「スタッフ名」と「未読か既読かを示す情報」とが閲覧状況領域６１に表示される。
【００７４】
クライアント端末２０において、表示部２３に登録情報が表示されると、制御部２１により、通信部２４を介して、登録情報が確認されたことが管理サーバー１０に通知される（ステップＳ２７）。
【００７５】
管理サーバー１０では、インターネット通信部１４により、クライアント端末２０から登録情報が確認されたことが受信されると、制御部１１により、情報閲覧履歴が登録される（ステップＳ２８）。具体的には、制御部１１により、情報閲覧管理テーブルＴ７に対して、登録情報が確認されたスタッフのスタッフＩＤに対応する「未読・既読」フィールドの情報が「未読」から「既読」に変更される。
【００７６】
次に、制御部１１により、ＦＡＸ通信部１５を介して、登録情報確認通知が、ＦＡＸ送信元のＦＡＸ装置３０にＦＡＸ送信される（ステップＳ２９）。
ステップＳ２８及びステップＳ２９の処理は、ステップＳ２７においてクライアント端末２０から登録情報が確認されたことが通知される度に、行われる。
以上で、ＦＡＸ通信用データ受信時処理が終了する。
【００７７】
例えば、訪問看護ステーションの看護師から診療所の医師に送信される訪問看護報告書については、訪問看護ステーションのＦＡＸ装置３０から管理サーバー１０にＦＡＸ送信されると、管理サーバー１０において、ＦＡＸ送信用データからインターネット通信用データに変換され、共有データとして一元的に管理され、医師を含むチーム内の各メンバーに公開される。
【００７８】
図１８は、情報共有連携システム１００において実行されるインターネット通信用データ受信時処理を示すラダーチャートである。管理サーバー１０における処理は、制御部１１と記憶部１７に記憶されているプログラムとの協働によるソフトウェア処理によって実現され、クライアント端末２０における処理は、制御部２１と記憶部２６に記憶されているプログラムとの協働によるソフトウェア処理によって実現される。
【００７９】
まず、データ送信元のクライアント端末２０において、操作部２２からの操作により、共有されるインターネット通信用データが選択されると、通信部２４を介して、インターネット通信用データが患者ＩＤと対応付けられて管理サーバー１０に送信される（ステップＳ３１）。
【００８０】
管理サーバー１０では、インターネット通信部１４により、インターネット通信用データ及び患者ＩＤが受信されると、制御部１１により、インターネット通信用データが患者（チームに対応）と対応付けられて登録される（ステップＳ３２）。具体的には、制御部１１により、記憶部１７の登録情報管理テーブルＴ５に新たなレコードが追加され、新たに生成された登録情報ＩＤと患者ＩＤとが対応付けられる。また、インターネット通信用データの実体又はファイルの格納先については、登録情報実体テーブルＴ６に登録され、登録情報管理テーブルＴ５と登録情報実体テーブルＴ６とは、登録情報実体ＩＤでリンクされる。また、登録情報実体テーブルＴ６には、インターネット通信用データの登録日時が格納される。
【００８１】
次に、制御部１１により、患者からチームが特定される（ステップＳ３３）。具体的には、制御部１１により、記憶部１７の患者情報テーブルＴ１が参照され、該当患者の患者ＩＤに対応付けられているチームＩＤが取得される。
【００８２】
次に、制御部１１により、チーム内のスタッフが特定される（ステップＳ３４）。具体的には、制御部１１により、記憶部１７のチーム情報テーブルＴ２が参照され、チームＩＤに対応付けられている複数のスタッフＩＤが取得される。
【００８３】
次に、制御部１１により、特定されたスタッフ毎に、記憶部１７の情報閲覧管理テーブルＴ７に閲覧状況（未読）が登録される（ステップＳ３５）。具体的には、制御部１１により、登録されたインターネット通信用データに対応する登録情報ＩＤとチーム内のスタッフのスタッフＩＤのそれぞれが対応付けられて情報閲覧管理テーブルＴ７に登録される。「未読・既読」フィールドについては、「未読」の状態とする。
なお、本処理では、チーム内のスタッフのうち、ステップＳ３１において、データを送信したスタッフについては、情報閲覧管理テーブルＴ７に登録されない。
【００８４】
次に、制御部１１により、インターネット通信部１４を介して、登録情報がチーム内のスタッフに通知される（ステップＳ３６）。
【００８５】
データ公開先のクライアント端末２０では、チーム内のスタッフによる操作部２２からの操作により、表示部２３に新たに登録された情報が表示され、チーム内のスタッフにより、登録情報が確認される（ステップＳ３７）。
クライアント端末２０において、表示部２３に登録情報が表示されると、制御部２１により、通信部２４を介して、登録情報が確認されたことが管理サーバー１０に通知される（ステップＳ３８）。
【００８６】
管理サーバー１０では、チーム内のスタッフの中に、ＦＡＸ装置で情報を受信することを示す情報が対応付けられているスタッフがいる場合に、制御部１１により、インターネット通信用データがＦＡＸ通信用データに変換される（ステップＳ３９）。例えば、ＰＮＧ形式、ＪＰＥＧ形式、ＰＤＦ形式等のデータからＴＩＦＦ形式のデータに変換される。
【００８７】
次に、制御部１１により、ＦＡＸ通信部１５を介して、ＦＡＸ通信用データが、チーム内のスタッフのうち、スタッフ情報テーブルＴ３において「クライアント種類」フィールドが「ＦＡＸ」であるスタッフが所属する施設のＦＡＸ装置３０にＦＡＸ送信される（ステップＳ４０）。具体的には、制御部１１により、スタッフ情報テーブルＴ３から、ＦＡＸ送信の対象となるスタッフに対応付けられている施設ＩＤが取得され、施設情報テーブルＴ４から、この施設ＩＤに対応付けられているＦＡＸ番号が取得され、このＦＡＸ番号宛にＦＡＸ通信用データが送信される。
【００８８】
ＦＡＸ装置３０では、ＦＡＸ通信用データに基づいて、用紙上に画像が形成される。
図１９に、ＦＡＸ装置３０により出力された訪問看護指示書の例を示す。１ページ目には、宛先と患者ＩＤが記載されている。２ページ目には、訪問看護指示書が記載されている。
【００８９】
管理サーバー１０では、インターネット通信部１４により、クライアント端末２０から登録情報が確認されたことが受信されるか、あるいは、ＦＡＸ送信が行われると、制御部１１により、情報閲覧履歴が登録される（ステップＳ４１）。具体的には、制御部１１により、情報閲覧管理テーブルＴ７に対して、登録情報が確認されたスタッフ、又は、ＦＡＸ送信された送信先のスタッフのスタッフＩＤに対応する「未読・既読」フィールドの情報が「未読」から「既読」に変更される。
【００９０】
次に、制御部１１により、インターネット通信部１４を介して、登録情報確認通知が、データ送信元のクライアント端末２０に送信される（ステップＳ４２）。
ステップＳ４１及びステップＳ４２の処理は、ステップＳ３８においてクライアント端末２０から登録情報が確認されたことが通知される度、又は、ステップＳ４０においてＦＡＸ装置３０にＦＡＸ送信される度に、行われる。
以上で、インターネット通信用データ受信時処理が終了する。
【００９１】
例えば、診療所の医師から情報共有連携システム１００上で訪問看護指示書を訪問看護ステーションの看護師に送信する場合、医師が電子情報として作成した訪問看護指示書を管理サーバー１０に送信すると、管理サーバー１０において、共有データとして一元的に管理される一方で、ＦＡＸ通信用データに変換され、訪問看護ステーションのＦＡＸ装置３０に送信される。
【００９２】
以上説明したように、本実施の形態によれば、ＦＡＸ装置３０から受信したＦＡＸ通信用データをインターネット通信用データに変換した後、他の共有データと同様に、チーム内で公開するので、もともと電子情報であったものだけでなく、紙の書類や写真等の電子化されていない情報についても、シームレスに共有連携することができる。
【００９３】
また、送信元のＦＡＸ番号と予め対応付けられている解析領域に対して、ＦＡＸ通信用データの解析を行うので、精度良く患者及びチームを特定することが可能となる。
【００９４】
また、ＦＡＸ装置で情報を受信することを示す情報が対応付けられているメンバーに対しては、共有データをＦＡＸ通信用データに変換した後、ＦＡＸ送信するので、ＦＡＸ装置３０による受信を希望するメンバーや施設に対しては、柔軟に対応することができる。
【００９５】
なお、上記実施の形態における記述は、本発明に係る情報共有連携システムの例であり、これに限定されるものではない。システムを構成する各装置の細部構成及び細部動作に関しても本発明の趣旨を逸脱することのない範囲で適宜変更可能である。
【００９６】
例えば、上記実施の形態においては、管理サーバー１０が、ＦＡＸ装置３０との間のＦＡＸ送受信及びＦＡＸ通信用データとインターネット通信用データの変換処理を行う機能と、情報共有連携に必要なデータを記憶する機能と、データの登録・変更及びクライアント端末２０との間の通信を行う機能と、を有することとしたが、別々の装置が各機能をそれぞれ有することとしてもよい。
【００９７】
また、チームを構成する際に、メンバー個人だけでなく、メンバーが所属する施設単位でチームに含まれるようにしてもよい。
また、上記実施の形態では、ＦＡＸ通信用データを解析して、ＦＡＸ通信用データに対応する患者（チーム）を特定する場合について説明したが、予め送信元のＦＡＸ装置３０のＦＡＸ番号と患者との対応関係を設定しておき、ＦＡＸ番号から患者を特定することとしてもよい。
【００９８】
また、共有データに、ヘルスケア情報（身体情報、健康情報）又はライフログ情報が含まれることとしてもよい。この場合、各チームは、ヘルスケア情報又はライフログ情報の提供者、その家族又は家族に相当する人物、医療・介護・福祉関係者から構成される。
【００９９】
また、本発明に係る情報共有連携システムは、上記実施の形態のような、患者を中心として形成されたチーム内の情報を共有するものに限定されない。
例えば、本発明は、企業内で顧客案件を管理する情報共有連携システムに対しても適用可能である。各案件は、企業内の複数の担当者で担当され、案件（顧客）毎に構成されるチームのメンバー間で、案件の状況や契約上の書類データが共有連携される。
案件によっては、捺印や手書きのサインが必要な書類もあるが、このような書類をＦＡＸ送信し、インターネット通信用データに変換してから保存することで、他の電子情報と同様、メンバー間でデータを共有することができる。
【符号の説明】
【０１００】
１０  管理サーバー
１１  制御部
１４  インターネット通信部
１５  ＦＡＸ通信部
１７  記憶部
２０  クライアント端末
３０  ＦＡＸ装置
１００  情報共有連携システム
Ｆ  電話回線
Ｎ  通信ネットワーク
Ｔ１  患者情報テーブル
Ｔ２  チーム情報テーブル
Ｔ３  スタッフ情報テーブル
Ｔ４  施設情報テーブル
Ｔ５  登録情報管理テーブル
Ｔ６  登録情報実体テーブル
Ｔ７  情報閲覧管理テーブル
【図１】
2018010547.tif 000003
【図２】
2018010547.tif 000004
【図３】
2018010547.tif 000005
【図４】
2018010547.tif 000006
【図５】
2018010547.tif 000007
【図６】
2018010547.tif 000008
【図７】
2018010547.tif 000009
【図８】
2018010547.tif 000010
【図９】
2018010547.tif 000011
【図１０】
2018010547.tif 000012
【図１１】
2018010547.tif 000013
【図１２】
2018010547.tif 000014
【図１３】
2018010547.tif 000015
【図１４】
2018010547.tif 000016
【図１５】
2018010547.tif 000017
【図１６】
2018010547.tif 000018
【図１７】
2018010547.tif 000019
【図１８】
2018010547.tif 000020
【図１９】
2018010547.tif 000021